(57)【要約】      （修正有）【課題】組み立て及び使用が簡易で便利で、ハンドツールの操作を更に簡便かつ快適にし、かつ作業効率を向上できるハンドツールの把手を提供する。【解決手段】ハンドツール本体１０と把手２０の間に連動装置３０を設け、該連動装置３０は、複数の角度の調整を実施でき、把手２０に連帯して多種角度でハンドツール本体１０に対応させ、該連動装置３０は、第１接続部材３０１、支持部材３０２、第２接続部材３０３及び位置決め部材３０４を設け、そのうち、第１接続部材３０１の振動調節によって、把手２０のハンドツール本体１０に固定施力する角度を変更することができ、第２接続部材３０３の回転動作によって、把手２０にハンドツールの作業角度に自動で合わせることができる。【選択図】図２
0003214996.tif 000002
【実用新案登録請求の範囲】
【請求項１】
ハンドツール本体、把手及び連動装置を含み、該連動装置は、ハンドツール本体及び把手の間に取り付けられ、該連動装置は、複数の角度の調整を実施でき、把手に連帯して多種角度でハンドツール本体に対応させるハンドツールの把手改良。
【請求項２】
前記連動装置は、
相対する第１端及び第２端を設け、該第１端は、ハンドツール本体に取り付けられ、第２端に上下振動を行わせて角度を調整させることができる第１接続部材と、
一端が第１接続部材の第２端に取り付けられて固定され、他端が枢着体を設け、該枢着体は、第１接続部材一側に凸設される支持部材と、
スリーブ状を呈し、支持部材により第１接続部材一側に貫通設置され、回転部を内設し、該回転部は、支持部材の枢着体に被せ設けられ、該枢着体を基礎として円周式回転を行い、回転部の近隣に調整部を設ける第接続部材と、
第２接続部材に取り付けられ、一端に第２接続部材の調整部に接続する調整部を設け、超絵師部の端に位置決め部を設け、該位置決め部は、支持部材の枢着体に対応し、該位置決め部の相対端は、把手を取り付け固定させる位置決め部材と、
を含む、請求項１に記載のハンドツールの把手改良。
【請求項３】
前記連動装置の第１接続部材の第１端は、ピボット孔を設け、該ピボット孔は、鎖合部材をハンドツール本体に設けられＵピボットジョイントに貫通設置させる、請求項２に記載のハンドツールの把手改良。
【請求項４】
前記連動装置の支持部材の枢着体は、円形枢着面を設け、該円形枢着面は、それぞれ第２接続部材の回転部及び位置決め部材の位置決め部と対応する、請求項２に記載のハンドツールの把手改良。
【請求項５】
前記連動装置の第２接続部材の調整部及び位置決め部材の調整部は、互いに螺合するねじ山部を設ける、請求項２に記載のハンドツールの把手改良。
【請求項６】
前記連動装置の支持部材の枢着体は、ハンドツール本体に取り付けられて固定される、請求項２に記載のハンドツールの把手改良。
【請求項７】
前記支持部材の枢着体の相対端は、ハンドツール本体のピボットジョイントに固定設置される、請求項６に記載のハンドツールの把手改良。
【考案の詳細な説明】
【技術分野】
【０００１】
本考案は、ハンドツールの把手改良に関し、特に、設置が簡潔であり、組み立て、使用が簡易で便利あり、ハンドツールの操作を更に簡便、快適にさせることができ、且つ作業効率を向上できるハンドツールの把手改良に関する。
【背景技術】
【０００２】
従来の把手を設けた電動又は気圧動のハンドツール（例えば、ワックス掛け機、研磨器、電気ドリル等）の設置は、図１に示すように、ハンドツール本体１０の一側にピボットジョイント１０１を設け、該ピボットジョイント１０１に把手２０を取り付け固定し、そのうち、該ピボットジョイント１０１は、ナットであることができ、該把手２０は、該ピボットジョイント１０１に螺合され、これに基づき、該把手２０は、固定されて不動の形態でハンドツール本体１０に取り付けられ、ハンドツールを操作する時、使用者は、片方の手で本体グリップ１０２を掴持して施力し、他方の手で把手２０を掴持して施力し、ハンドツールは、予期する効果を達成する。否定できないこととして、把手２０を固定形態でハンドツール本体１０に取り付ける実施方式は、確かにハンドツールに作業効果を発揮させることができるが、実施使用において、下記欠陥を有する。
１、ハンドツールが対応する作業角度が非固定又は非単一の形態を呈する時（例えば、ワックス掛け機又は研磨機が作業する時、常に工作物の表面に沿って各種角度又は弧面の施工を行う）、把手２０は、固定角度を呈してハンドツール本体１０に固定設置され、把手２０を掴持する手が随時作業角度によって手腕を回転させて合わせる必要があり、これに基づき、把手２０を掴持する手に疲労、コリの現象を発生させ易く、職業病の傷害を累積させる欠点がある。
２、前項の記載を受けて、把手２０を掴持する手が容易に疲労する現象を発生し、ハンドツールを操作する作業効率が必然的に大きく減衰し、作業効率低下の欠点を有する。
３、前項の記載を受けて、把手２０を掴持する手が作業角度に合わせて手腕を絶えず回転させる必要があり、把手を掴持する快適性及び施力円滑性に影響を及ぼし、これに基づき、作業角度の変化が比較的大きい場合、しばしばハンドツールの適用性が不足し、使用範囲が制限される欠点を生じる。
【先行技術文献】
【特許文献】
【０００３】
【特許文献１】実登第3137011号公報
【考案の概要】
【考案が解決しようとする課題】
【０００４】
本考案の目的は、上述の欠陥を改善し、ハンドツールを操作する施力を更に円滑で安全にし、把手の掴持に更に快適性をもたせ、ハンドツールの作業効率を向上させる効果を有効に達成することができるハンドツールの把手改良を提供することにある。
【課題を解決するための手段】
【０００５】
上記目的を達成するため、本考案は、ハンドツール本体及び把手の間に連動装置を設け、該連動装置は、複数の角度の調整を実施することができ、把手に連帯して多種の角度でハンドツール本体に対応させることができ、該連動装置は、第１接続部材、支持部材、第２接続部材及び位置決め部材を設け、そのうち、第１接続部材の振動調節によって、把手にハンドツールの作業角度に自動で合わせる自然能力をもたせ、これに基づき、ハンドツールの操作が、把手の掴持の快適性及び施力の円滑性、安全効果を有するだけではなく、更に作業効率を向上させる効果を達成することができる。
【考案の効果】
【０００６】
本考案を使用することで少なくとも以下の利点を有する。
１、製造が簡単で、経済性を有する。
２、操作、使用が簡易、便利であり、実施利便性を有する。
３、ハンドツールの作業効率及び安全性を向上することができる。
【図面の簡単な説明】
【０００７】
【図１】従来のハンドツールの把手設置の立体説明図である。
【図２】本考案の把手をハンドツールに設けた第1実施例の立体説明図である。
【図３】図２の分解構造図である。
【図４】本考案の把手が締結状態を呈する第１実施例の正面説明図である。
【図５】本考案の把手が弛緩状態を呈する第１実施例の正面説明図である。
【図６】本考案の把手が上下振動を呈して角度を調整する第１実施例の側面説明図である。
【図７】本考案の把手が自由回転状態を呈して動作する第２実施例の側面説明図である。
【図８】本考案の把手が回転状態を呈して角度を調整する第２実施例の正面説明図である。
【図９】本考案の把手をハンドツールに設け、自由回転状態を呈して動作する第２実施例の正面説明図である。
【図１０】本考案の把手をハンドツールに設け、回転状態を呈して角度調整動作をする第２実施例の正面説明図である。
【考案を実施するための形態】
【０００８】
本考案の目的、特徴及び効果について分かり易くする為、図面に合わせて実施例を挙げて詳細に説明する。
【０００９】
図２、図３、図４、図５を参照し、本考案のハンドツールの把手改良は、ハンドツール本体１０及び把手２０の間に連動装置３０を設け、該連動装置３０は、複数の角度の調整を実施することができ、把手２０に連動して多種の角度でハンドツール本体１０に対応させることができ、該連動装置３０は、以下を含む。第１接続部材３０１であり、該第１接続部材３０１は、相対する第１端３０１１及び第２端３０１２を設け、該第１接続部材３０１の第１端３０１１は、ピボット孔３０１３を設け、該ピボット孔３０１３は、鎖合部材３０１４をハンドツール本体１０に鎖合して設けるピボットジョイント１０１に貫通設置させることができ、第２端３０１２に鎖合部材３０１４をターン点とし、ハンドツール本体１０上で上下振動の角度調整を実施することができる。支持部材３０２であり、一端が第１接続部材３０１の第２端３０１２に取り付けられ固定設置され、他端が枢着体３０２１を設け、該枢着体３０２１は、円形枢着面３０２１１を設け、該枢着体３０２１は、第１接続部材３０１一側に凸設される。第２接続部材３０３であって、スリーブ状を呈し、支持部材３０２により貫通設置されて第１接続部材３０１一側に位置し、回転部３０３１を内設し、該回転部３０３１は、支持部材３０２の枢着体３０２１を基礎として円周式の回転を行うことができ、回転部３０３１の近隣に調整部３０３２を設け、該調整部３０３２は、ねじ山部であることができる。位置決め部材３０４であって、第２接続部材３０３に取り付けられ、一端に調整部３０４１を設け、該調整部３０４１は、第２接続部材３０３の調整部３０３２に接続され、調整部３０４１の単に位置決め部３０４２を設け、該位置決め部３０４２は、支持部材３０２の枢着体３０２１の円形枢着面３０２１１に対応し、該位置決め部３０４２の相対端は、把手２０を固定設置させて位置決めさせ、把手２０を回転する時、該位置決め部材３０４の調整部３０４１は、第２接続部材３０３の調整部３０３２に沿って前後に移動でき、位置決め部材３０４の位置決め部３０４２及び第２接続部材３０３の回転部３０３１に支持部材３０２の枢着体３０２１に対して施圧又は釈放動作を行わせることができる。上述において、該第２接続部材３０３の回転部３０３１及び位置決め部材３０４の位置決め部３０４２は、それぞれ支持部材３０２の枢着体３０２１の円形枢着面３０２１１と同じ弧面として設けることが最も好ましい。
【００１０】
上述において、該第２接続部材３０３の回転部３０３１及び位置決め部材３０４の位置決め部３０４２は、それぞれ斜面として設けることもできる。
【００１１】
即ち、上記構成の本考案を利用し、図６、図７、図８に示すように、第１接続部材３０１の第１端３０１１は、鎖合部材３０１４によってハンドツール本体１０に設けられるピボットジョイント１０１に貫通設置することができ、第２端３０１２は、該鎖合部材３−１４をターン点とし、上下振動の各種角度調整を行い、該位置決め部材３０４、第２接続部材３０３及び支持部材３０２によって第１接続部材３０１の把手２０に取り付けられ接続され、連帯して第１接続部材３０１の振動に伴って各種角度の調整を実施し、操作の必要に応じて、該把手２０は、適時調節して対応するハンドツール本体１０の角度を変更することができ（図６参照）、ハンドツールに最適な施力角度をもたせる効果を達成する。
【００１２】
また、支持部材３０２は、第１接続部材３０１の第２端３０１２に固定設置された後、該第２接続部材３０３の回転部３０３１は、支持部材３０２の枢着体３０２１の円形枢着面３０２１１に被せ設けられ、第２接続部材３０３は、これに基づき、該枢着体３０２１の円形枢着面３０２１１に沿って円周式回転を行うことができ、該把手２０が固定設置する位置決め部材３０４を第２接続部材３０３に取り付けさせた後、また、調整部３０１４によって第２接続部材３０２１の調整部３０３２に沿って前後移動調節することができ、位置決め部３０４２に支持部材３０２の枢着体３０２１に対して嵌合結合又は開放離脱動作を行わせることができ、ハンドツールの動作時、操作の必要に応じて、使用者は、把手２０を回転弛緩でき、位置決め部材３０４は、支持部材３０２の枢着体３０２１に施圧しない弛緩状態を呈し、続いて、把手２０を引き上げ、第２接続部材３０３は、支持部材３０２の枢着体３０２１に沿って所定角度まで回転し、続いて、把手２０を回転締結し、位置決め部材３０４が対応する枢着体３０２１に施圧して固定し、これに基づき該位置決め部材３０４と一体に連接する把手２０にハンドツール本体１０に固定施力する角度を適時変化させることができ（図８参照）、更に、作業効率を向上する効果を達成する。又は、使用者は、把手２０を回転させて緩め、第２接続部材３０３が随時、支持部材３０２の枢着体３０２１に沿って自由に回転でき、これに基づき、第２接続部材３０３を一体に連接する把手２０に、ハンドツールの作業角度に自動で合わせて自然に施力し（図７参照）、施力が円滑で、作業効率を自然に高める効果を達成する。
【００１３】
上述のように、該把手２０は、操作の必要に応じて適時調整して施力角度を変更し、又はハンドツールの作業角度に自由に回転して自動に合わせて自然に施力し、ハンドツールの作業効率を直接向上させるだけではなく、更に、把手２０を掴持する手が、掴持、施力の円滑、快適且つ負傷し難い安全性効果を達成することができる。
【００１４】
上述のように、図９、図１０に示すように、異なる使用モード及び使用状況に応じて、本考案は、連動装置３０の第１接続部材３０１を取り外し、直接支持部材３０２の枢着体３０２１の相対端をハンドツール本体１０のピボットジョイント１０１の位置に取り付けて固定することもでき、これに基づき、該位置決め部材３０４、第２接続部材３０３によって支持部材３０２の把手２０に接続し、同様に複数の角度の調整を実施でき、作業効率の向上及び手で掴持する快適性及び安全性の効果を提供することができる。
【００１５】
言い換えれば、本考案を使用することで少なくとも以下の利点を有する。
１、製造が簡単で、経済性を有する。
２、操作、使用が簡易、便利であり、実施利便性を有する。
３、ハンドツールの作業効率及び安全性を向上することができる。
【００１６】
上記のように、本考案のハンドツールの把手改良は、従来よりも更に良好な使用効果を提供し、その装置、構造が複雑でなく、全体の動作が実施の具体性を有し、且つ現在の同類製品に未聞の運用である。
【００１７】
なお、本考案では好ましい実施例を前述の通り開示したが、これらは決して本考案に限定するものではなく、当該技術を熟知する者なら誰でも、本考案の精神と領域を脱しない均等の範囲内で各種の変動や潤色を加えることができることは勿論である。
【符号の説明】
【００１８】
１０  ハンドツール本体
１０１  ピボットジョイント
１０２  グリップ 
２０  把手
３０  連動装置
３０１  第１接続部材
３０１１  第１端
３０１２  第２端
３０１３  ピボット孔
３０１４  鎖合部材
３０２  支持部材
３０２１  枢着体
３０２１１  円形枢着面
３０３  第２接続部材
３０３１  回転部
３０３２  調整部
３０４  位置決め部材
３０４１  調整部
３０４２  位置決め部
【図１】
0003214996.tif 000003
【図２】
0003214996.tif 000004
【図３】
0003214996.tif 000005
【図４】
0003214996.tif 000006
【図５】
0003214996.tif 000007
【図６】
0003214996.tif 000008
【図７】
0003214996.tif 000009
【図８】
0003214996.tif 000010
【図９】
0003214996.tif 000011
【図１０】
0003214996.tif 000012
【手続補正書】
【提出日】平成29年12月13日(2017.12.13)
【手続補正１】
【補正対象書類名】実用新案登録請求の範囲
【補正対象項目名】全文
【補正方法】変更
【補正の内容】
【実用新案登録請求の範囲】
【請求項１】
ハンドツール本体、把手及び連動装置を含み、該連動装置は、ハンドツール本体及び把手の間に取り付けられ、該連動装置は、複数の角度の調整を実施でき、把手に連帯して多種角度でハンドツール本体に対応させるハンドツールの把手。
【請求項２】
前記連動装置は、
相対する第１端及び第２端を設け、該第１端は、ハンドツール本体に取り付けられ、第２端に上下振動を行わせて角度を調整させることができる第１接続部材と、
一端が第１接続部材の第２端に取り付けられて固定され、他端が枢着体を設け、該枢着体は、第１接続部材一側に凸設される支持部材と、
スリーブ状を呈し、支持部材により第１接続部材一側に貫通設置され、回転部を内設し、該回転部は、支持部材の枢着体に被せ設けられ、該枢着体を基礎として円周式回転を行い、回転部の近隣に調整部を設ける第２接続部材と、
第２接続部材に取り付けられ、一端に第２接続部材の調整部に接続する調整部を設け、超絵師部の端に位置決め部を設け、該位置決め部は、支持部材の枢着体に対応し、該位置決め部の相対端は、把手を取り付け固定させる位置決め部材と、
を含む、請求項１に記載のハンドツールの把手。
【請求項３】
前記連動装置の第１接続部材の第１端は、ピボット孔を設け、該ピボット孔は、鎖合部材をハンドツール本体に設けられＵピボットジョイントに貫通設置させる、請求項２に記載のハンドツールの把手。
【請求項４】
前記連動装置の支持部材の枢着体は、円形枢着面を設け、該円形枢着面は、それぞれ第２接続部材の回転部及び位置決め部材の位置決め部と対応する、請求項２に記載のハンドツールの把手。
【請求項５】
前記連動装置の第２接続部材の調整部及び位置決め部材の調整部は、互いに螺合するねじ山部を設ける、請求項２に記載のハンドツールの把手。
【請求項６】
前記連動装置の支持部材の枢着体は、ハンドツール本体に取り付けられて固定される、請求項２に記載のハンドツールの把手。
【請求項７】
前記支持部材の枢着体の相対端は、ハンドツール本体のピボットジョイントに固定設置される、請求項６に記載のハンドツールの把手。